(57)【要約】【課題】キーボードのキーの上面及び正面に加え、左右の側面にも文字や図柄を簡単に付与することができ、且つ貼着した際に極力シワが生じにくいキー用シールを提供すること。【解決手段】キーボード用のキーの表面に図柄を付与するためのシールであって、キーの上面全体に貼着される上面シール部１と、キーの正面に貼着される正面シール部２と、キーの左側の側面に貼着される左側面シール部３と、キーの右側の側面に貼着される右側面シール部４とからなり、前記上面シール部１、前記正面シール部２、前記左側面シール部３及び前記右側面シール部４に図柄が付与され、前記上面シール部１、前記正面シール部２、前記左側面シール部３、及び前記右側面シール部４が一体となっていることを特徴とするキー用シールＡ。【選択図】図1
2010262421.tif 000002
【特許請求の範囲】
【請求項１】
キーボード用のキーの表面に図柄を付与するためのシールであって、
キーの上面全体に貼着される上面シール部と、キーの正面に貼着される正面シール部と、キーの左側の側面に貼着される左側面シール部と、キーの右側の側面に貼着される右側面シール部とからなり、前記上面シール部、前記正面シール部、前記左側面シール部及び前記右側面シール部に図柄が付与され、前記上面シール部、前記正面シール部、前記左側面シール部、及び前記右側面シール部が一体となっていることを特徴とするキー用シール。
【請求項２】
前記上面シール部の底辺と前記正面シール部の上辺とが結合し、前記正面シール部の側辺と前記左側面シール部の側辺とが結合し、前記正面シール部の側辺と前記右側面シール部の側辺とが結合していることを特徴とする請求項１記載のキー用シール。
【請求項３】
前記上面シール部と前記正面シール部との結合部の両端に、切り欠き部が形成されていることを特徴とする請求項１記載のキー用シール。
【請求項４】
前記上面シール部、前記正面シール部、前記左側面シール部及び前記右側面シール部にラミネート加工が施されていることを特徴とする請求項１記載のキー用シール。
【請求項５】
前記請求項１〜４のいずれか一項記載のシールが一定領域又は全ての領域の複数個のキーに貼着されたキーボードであって、各キー用シールに付与された図柄が相互に組み合わされることにより、一つの統一した図柄を形成していることを特徴とするキーボード。
【発明の詳細な説明】
【技術分野】
【０００１】
本発明はパソコン等の入力に使用されるキーボードのキーに関し、更に詳しくはキーに図柄を付与するためのシール及びそのシールがキーに貼着されたキーボードに関する。
【背景技術】
【０００２】
従来、特許文献１に示されるように、パソコン用キーボードのキーの表面に元々印字されている文字とは別の文字（拡大した文字等）を付与するためのキー用シールが開発されている。
このシールはキーの上面及び使用者と対向する正面に貼着される。
そして、このシールは貼着の際の労力を軽減させるために、キーの上面に貼着される部分と、キーの側面に貼着される部分とが一連につながっている。
【先行技術文献】
【特許文献】
【０００３】
【特許文献１】特開２００６−２３８３７号公報
【非特許文献】
【０００４】
【非特許文献１】http://www.m-yokunaru.com/
【発明の概要】
【発明が解決しようとする課題】
【０００５】
近年、キーに付与する文字や図柄を拡大するために、従来の貼着していた面に加えて左右の側面にもシールを貼着するという需要が高まってきている。
そのため、上述した従来のキー用シールではそのような需要に対応できていない。
【０００６】
そのため、図１４に示すような展開図のシールも（見える部分３面を有する）開発された。
しかし、貼着の対象となるキーの上面は完全な平面ではなく、すり鉢状の形状や円筒状に窪んだ形状（いわゆるシリンドリカルカーブ形状）である。
特にすり鉢状の形状では上面の各辺が曲線となるため、キーの各面を単に平面的に投影してなるこのキー用シールＡ（図１４参照）がキーに貼着されると、キーの上面部分と正面部分との結合部（いわゆる境界部）、上面部分と左側面部分との結合部、及び上面部分と右側面部分との結合部の３つの部分に不要なシワが生じるという問題が発生する。
このシワは、使用者は、キーの上面を斜め上方から見下げて操作するため、極めて醜いものとなり、手触りも悪くなる。
【０００７】
本発明は以上の課題を解決すべく開発されたものである。
すなわち、キーボードのキーの上面及び正面に加え、左右の側面にも文字や図柄を簡単に付与することができ、且つ貼着した際に極力シワが生じにくいキー用シールを提供することを目的とする。
【課題を解決するための手段】
【０００８】
本発明者は、以上のような課題背景をもとに鋭意研究を重ねた結果、シワの発生する辺を極力少なくする、すなわちシワの発生をキーの上面とキーの正面との間に限定させることにより、上記の課題を解決できることを見出し、その知見に基づいて本発明を完成させたものである。
【０００９】
すなわち本発明は、（１）、キーボード用のキーの表面に図柄を付与するためのシールであって、キーの上面全体に貼着される上面シール部と、キーの正面に貼着される正面シール部と、キーの左側の側面に貼着される左側面シール部と、キーの右側の側面に貼着される右側面シール部とからなり、前記上面シール部、前記正面シール部、前記左側面シール部及び前記右側面シール部に図柄が付与され、前記上面シール部、前記正面シール部、前記左側面シール部、及び前記右側面シール部が一体となっているキー用シールに存する。
【００１０】
また本発明は、（２）、前記上面シール部の底辺と前記正面シール部の上辺とが結合し、前記正面シール部の側辺と前記左側面シール部の側辺とが結合し、前記正面シール部の側辺と前記右側面シール部の側辺とが結合している上記（１）記載のキー用シールに存する。
【００１１】
また本発明は、（３）、前記上面シール部と前記正面シール部との結合部の両端に、切り欠き部が形成されている上記（１）記載のキー用シールに存する。
【００１２】
また本発明は、（４）、前記上面シール部、前記正面シール部、前記左側面シール部及び前記右側面シール部にラミネート加工が施されている上記（１）記載のキー用シールに存する。
【００１３】
また本発明は、（５）、前記（１）〜（４）のいずれか１項記載のシールが一定領域又は全ての領域の複数個のキーに貼着されたキーボードであって、各キー用シールに付与された図柄が相互に組み合わされることにより、一つの統一した図柄を形成しているキーボードに存する。
【００１４】
なお、本発明の目的に添ったものであれば上記の発明を適宜組み合わせた構成も採用可能である。
【発明の効果】
【００１５】
本発明のキー用シールは、キーの上面に貼着される上面シール部と、キーの使用者に対向する側面に貼着される正面シール部と、キーの左側の側面に貼着される左側面シール部と、キーの右側の側面に貼着される右側面シール部とからなり、前記上面シール部、前記正面シール部、前記左側面シール部及び前記右側面シール部に図柄が付与され、前記上面シール部の底辺と前記正面シール部の上辺とが結合し、前記正面シール部の側辺と前記左側面シール部の側辺とが結合し、前記正面シール部の側辺と前記右側面シール部の側辺とが結合しているものである。
【００１６】
従って、上面シール部、正面シール部、左側面シール部、右側面シール部とを、順次、キーに貼着するという指を使った簡便な作業で、キーの表面に図柄が付与される。
また、本発明のキー用シールにおいては、上面シール部が正面シール部とのみ結合しているため、シワが生じてもこの部分に限られる。
従って、本発明のキー用シールは従来のシールに比べて、貼着状態が極めて綺麗である。
【００１７】
上面シール部と正面シール部との結合部の両端に切り欠き部が形成されていると、貼着した際に上面シール部または、正面シール部にシワが生じ難くなる。すなわち、切り欠き部が形成されていないと、例えば上面シール部を正面シール部よりも先に貼着し、その後正面シール部を貼着した場合、結合部（キーの角部に対応）の両端部が正面シール部の両隅の部分を引っ張り上げるように作用するため、正面シール部結合部の中央が弛んでシワが生じるのである。
しかしながら、切り欠き部が形成されると、結合部の両端部が正面シール部の両隅を引っ張り上げることがないため、中央部が緩まずシワが生じたりしなくなる。
【００１８】
上面シール部、正面シール部、左側面シール部及び右側面シール部に、適宜、目的に応じたラミネート加工が施されることにより、上面シール部、正面シール部、左側面シール部及び右側面シール部に付与された図柄の損傷防止や反射防止が可能で、キーのタッチ感も向上させることができる。
【図面の簡単な説明】
【００１９】
【図１】図１は、本実施形態のキー用シールの展開図を示し、（Ａ）は切り欠き部を備えないもの、（Ｂ）は切り欠き部を備えたものである。
【図２】図２は、キーの斜視図を示し、（Ａ）は本実施形態のキー用シールが貼着されてない状態、（Ｂ）は本実施形態のキー用シールが貼着された状態である。
【図３】図３は、本実施形態のキー用シールを貼着する順序の一例を示す説明図である。
【図４】図４は、本発明の別の実施形態のキー用シールの展開図である。
【図５】図５は、図４で示したキー用シールが貼着されるキーの形状を示す斜視図である。
【図６】図６は、本発明の別の実施形態のキー用シールの展開図である。
【図７】図７は、図６で示したキー用シールが貼着されるキーの形状を示す斜視図である。
【図８】図８は、本発明の別の実施形態のキー用シールの展開図である。
【図９】図９は、図８で示したキー用シールが貼着されるキーの形状を示す斜視図である。
【図１０】図１０は、結合シール部を備えたキー用シールの展開図である。
【図１１】図１１は、図１０で示したキー用シールが貼着されるキーの形状を示す斜視図である。
【図１２】図１２は、本発明のキーボードを示す平面図である。
【図１３】図１３は、本発明のキーボードを示す平面図である。
【図１４】図１４は、従来のシールの展開図である。
【発明を実施するための形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２１】
（第１実施形態）
図１は、本実施形態のキー用シールの展開図を示し、（Ａ）は、切り欠き部Ｋを備えないもので（Ｂ）は切り欠き部Ｋを備えたものである。
なお、キー用シールはパソコン用のキーボードで例示した。
【００２２】
また図２は、キーの斜視図を示し、（Ａ）は本実施形態のキー用シールが貼着されてない状態、（Ｂ）は本実施形態のキー用シールが貼着された状態である。
なお、ここでキーは、便宜的に左右にのみカーブして窪んでいるキーを例に示している。
図５、図７、図９、図１１も同じである。
本実施形態のキー用シールＡは、キーボードのキーに図柄（文字、絵等を含む）を付与するもので、図１に示すように、キー１００の上面１０１（図３参照）のほぼ全体に貼着される上面シール部１と、キーの正面１０２のほぼ全体に貼着される正面シール部２と、キーの左側の側面１０３のほぼ全体に貼着される左側面シール部３と、キーの右側の側面１０４のほぼ全体に貼着される右側面シール部４とからなり、これらが一体化したものである。
【００２３】
上面シール部１と正面シール部２とは、上面シール部１の底辺と正面シール部２の上辺とで結合し、正面シール部２と左側面シール部３とは、正面シール部２の側辺と左側面シール部３の側辺とで結合し、正面シール部２と右側面シール部４とは、正面シール部２の側辺と右側面シール部４の側辺とで結合している。
なお、キーの正面とは、キーの側面のうち、キーボードの使用者と対向する面のことである。
【００２４】
上面シール部１、正面シール部２、左側面シール部３、及び右側面シール部４には図柄が印刷等により付与されている。
これらの図柄はこれら全てのシール部に付与されていなくても一部であってもかまわない。
図柄の表面には必要に応じてラミネート加工を施し印刷された図柄の傷つきを防いだり、反射を防止したり、キー表面の手触りを良くしたりすることが好ましい。
キー用シールＡが１つのキーに貼着された際に、上面シール部１、正面シール部２、左側面シール部３及び右側面シール部４に印刷された各図柄は、図２（Ｂ）に示すように、一つの図柄を構成する。
なお、後述するように（図１２、図１３参照）、多数のキーが配列性されたキーボードにおいて、ある一定の領域に渡って又は全ての領域に渡って複数のキーに図柄を付与し、一つの統一した大きな図柄とすることも可能である。
【００２５】
ここですり鉢状のキーにおいては、先述したように上面の各辺が曲線となる。
すなわち、キーの上面１０１とキーの正面１０２との境界線（角部の線）、キーの上面１０１とキーの左側面１０３との境界線（角部の線）、キーの上面１０１とキーの右側面１０４との境界線（角部の線）、がそれぞれ曲線となっている。
本発明のキー用シールＡをキーに貼った場合には、キーの正面とキーの上面との境界線にのみシワが発生するだけであり、キーの正面とキーの左側面との境界線、キーの正面とキーの右側面との境界線にはシワは生じない。
何故なら、キー用シールＡは、上面シール部１と左側面シール部３、及び正面シール部２と右側面シール部４が敢えて分離されているからである。
【００２６】
因みに、従来の図１４に示されているようなキー用シールを貼った場合には、３つの境界線の付近にシワが生じて貼着状態が極めて醜い。
一般にキーにおいては、キーの正面とキーの左側面との境界線は直線となっており、キーの上面とキーの正面との境界線は曲線となっている。そしてキーの正面とキーの左側面との境界線はキーの上面とキーの正面との境界線よりも長さが短い。
そのためキー用シールＡにおいては、キーの正面とキーの左側面との境界線では、キーの上面とキーの正面との境界線に比べてシワが生じにくい。
この点については、キーの正面とキーの右側面との境界線についても同じことがいえる。
【００２７】
さて図1（Ｂ）に示す実施の形態のキー用シールＡは、上面シール部１と正面シール部２との結合部の両端に切り欠き部Ｋが形成された例を示している。
この切り欠き部Ｋは、キー用シールＡを貼った場合に、キーの正面とキーの上面との境界線にシワを殆ど発生させない。
後述するように、貼り付けに際し、正面シール部２の両隅が上方に引っ張り上げられないからである。
この切り欠き部Ｋの大きさは、キーの上面とキーの正面との境界線の曲率の大きさによって適宜調節することが好ましい。
曲率が大きい場合には、切り欠き部Ｋは大きめに形成されることがシワ逃がしの観点から好ましい。また、曲率が小さい場合には、切り欠き部Ｋは小さめであっても十分な効果を発揮する。
【００２８】
次に、キー用シールＡのキーへの貼着方法の一例を示す。図３は本実施形態のキー用シールの貼着手順を模式的に示す斜視図である。
図３（Ａ）に示すように、先ず、キー用シールＡの上面シール部１をキー１００の上面１０１（キートップ）に貼着する。
このとき、上面シール部１が上面１０１からずれてはみ出さないように貼着することが好ましい。
【００２９】
上面シール部１の貼着が完了したら、次に図３（Ｂ）に示すように、正面シール部２をキー１００の正面１０２に貼着する。
このとき、上面シール部１との結合部付近から正面シール部２の底辺に向かって指で押すようにして貼着する。
【００３０】
切り欠き部Ｋが上面シール部１と正面シール部２との結合部に形成されている場合は、正面シール部２を中央部から貼着した際に、前述したように、正面シール部２の上両隅の部分が引っ張りあげられにくいためシワの発生が抑えられる。
【００３１】
正面シール部２の貼着が完了したら、次に図３（Ｃ）に示すように、左側面シール部３をキー１００の左側面１０３に貼着する。このとき、左側面シール部３を左側面シール部３と正面シール部２との結合部から、左側面シール部３の自由端に向かって指で押すように貼着する。
【００３２】
左側面シール部３の貼着が完了したら、次に図３（Ｄ）に示すように、右側面シール部４をキー１００の右側面１０４に貼着する。
このとき、右側面シール部４を右側面シール部４と正面シール部２のとの結合部から、右側面シール部４の自由端に向かって同じく指で押すように貼着する。
【００３３】
（第２実施形態）
図４は、第２実施形態のキー用シールの展開図である。
本実施形態のキー用シールＡは、主に図５に示す形状を有する「ＣａｐｓＬｏｃｋ」のキーに貼着するためのものである。
図に示すように、キー用シールＡの右側面シール部４がキーの第一右側面１０４ａに貼着される第一右側面シール部４１と、キーの第一右側面１０４ａの上面１０４ｂに貼着される第一右側面上部シール部４２と、キーの第二右側面１０４ｃに貼着される第二右側面シール部４３と、からなっている。
【００３４】
本実施形態のキー用シールＡを貼着する際は、最後に右側面シール部４を貼着することが好ましく、その場合、効率の面から、第一右側面シール部４１、第一右側面上部シール部４２、第二右側面シール部４３の順に貼着していくことが好ましい。
【００３５】
（第３実施形態）
図６は、第３実施形態のキー用シールの展開図である。
本実施形態のキー用シールＡは、主に図７に示す形状を有する「Ｅｎｔｅｒ」のキーに貼着するためのものである。
図に示すように、キー用シールＡの左側面シール部３がキーの第一左側面１０３ａに貼着される第一左側面シール部３１と、キーの第二左側面１０３ｂに貼着される第二左側面シール部３２と、キーの第三左側面１０３ｃに貼着される第三左側面シール部３３と、からなっている。
【００３６】
本実施形態のキー用シールＡを貼着する際は、最後に左側面シール部３を貼着することが好ましく、その場合、効率の面から、第一左側面シール部３１、第二左側面シール部３２、第三左側面シール部３３の順に貼着していくことが好ましい。
【００３７】
（第４実施形態）
図８は、第４実施形態のキー用シールの展開図である。
本実施形態のキー用シールＡは、図９に示す形状を有する別形状の「Ｅｎｔｅｒ」のキーに貼着するためのものである。
図８に示すように、略Ｌ字状の上面シール部１の一側辺に、左側面の一部に貼着される左小側面シール部３４が設けられている。
左小側面シール部３４が上面シール部１に結合されるが、使用者からは影（盲点）となって見えないキーの左後方側面１０３ｄにはシールを貼着する必要が無い。
【００３８】
本実施形態のシールＡを貼着する際は、最初に上面シール部１を貼着し、次に左小側面シール部３４を貼着し、以下正面シール部２、左側面シール部３、右側面シール部４の順に貼着することが好ましい。
【００３９】
（第５実施形態）
図１０は、第５実施形態のキー用シールの展開図である。
本実施形態のキー用シールＡにおいては、正面シール部２と左側面シール部３とが一定幅を有する結合シール部５１を介して結合され、同様にまた正面シール部２と右側面シール部４とは結合シール部５２を介して結合されている。
【００４０】
結合シール部５１は、キーボードのキーの正面１０２と左側面１０３との間の角部に形成された曲面Ｒ１（面取部分）に貼着されるもので、同様に結合シール部５２はキーボードのキーの正面１０２と右側面１０４との間の角部に形成された曲面Ｒ２（図１１参照）に貼着されるものである。
曲面Ｒ１に結合シール部５１が貼着されると、左側面シール部３の右側辺がキーの左側面１０３の右側辺に一致するので、左側面シール部３は左側面１０３に対して的確に貼着される。
また同様に、曲面Ｒ２に結合シール部５２が貼着されると、右側面シール部４の左側辺がキーの右側面１０４の左側辺に一致するので、同様に右側面シール部４は右側面１０４に対して的確に貼着される。
以上述べた第２乃至第５の実施形態においても、第１の実施の形態と同じようにキーの正面とキーの上面との境界線にのみシワが発生するだけであり、キーの正面とキーの左側面との境界線、キーの正面とキーの右側面との境界線にはシワは生じない。
【００４１】
次に本発明のキーボードについて説明する。
図１２は、本発明のキーボードを示す平面図である。
図１２に示すように、本発明のキーボードは、一定領域の複数個のキーに渡ってキー用シールが貼着されている。
さらに、各貼着されたキー用シールに印刷された図柄は、相互に組み合わされて、一つの統一した図柄を構成している。
【００４２】
この応用例として、図１３に示されたキーボードは、その全ての領域の複数個のキーに渡ってキー用シールが貼着され、それらのキー用シールは全て相互に組み合わされて、一つの統一した大きな図柄を構成している。
この場合は、梅の花が咲き誇った華やかなモチーフを発現しているが、全体に一つの大きな花の絵とすることも当然可能である。
パソコンを使用する人は、いずれの場合も、図柄モチーフを楽しみながらキーを打つことができる。
【００４３】
以上、本発明をその一実施形態を例に説明したが、本発明は上述した実施形態のみに限定されるものではなく、種々の変形が可能である。
例えば、上面シール部と正面シール部との結合部の両端に形成される切り欠き部は、直線状であっても、或いはＶ字状切れ込みであってもよい。
【００４４】
また、本発明のキー用シールは例えば「スペースキー」のようなキーの上面が凸面になっているようなキーであっても使用可能である。
【００４５】
また、図柄を保護するためのラミネート加工も、キーボードの使用態様によっては、必ずしも加工を施す必要はない。
また、キー用シールはキーに接着剤を使って貼り付けることも可能であり、粘着剤をキー用シール裏面に有するものであってもよい。後者の場合は貼り替えが容易であるため異なる図柄の付与が楽しめる。
【００４６】
本発明のキー用シールの貼着方法については、図３で示したが、１つの例であって必ずしも上面シール部から貼着する必要は無く、他のどの部分から貼着しても構わない。
【産業上の利用可能性】
【００４７】
本発明のキー用シールによれば指を使った簡便な作業で、極力シワを発生しないようにキーボードの上面、正面、左側面及び右側面に図柄を付与することができる。
また、キーボードの一部の領域又は全部の領域に渡って所望の図柄を付与することができる。
このためキーボード以外であっても、例えば立体的に突出した複数の操作キーを有するものであれば十分適用可能である。
【符号の説明】
【００４８】
Ａ…キー用シール
１…上面シール部
２…正面シール部
３…左側面シール部
３１…第一左側面シール部
３２…第二左側面シール部
３３…第三左側面シール部
４…右側面シール部
４１…第一右側面シール部
４２…第一右側面上部シール部
４３…第二右側面シール部
５１…結合シール部
５２…結合シール部
１００…キー
１０１…上面
１０２…正面
１０３…左側面
１０３ａ…第一左側面
１０３ｂ…第二左側面
１０３ｃ…第三左側面
１０３ｄ…左手前側面
１０４…右側面
１０４ａ…第一右側面
１０４ｂ…第一右側面の上面
１０４ｃ…第二右側面
Ｋ…切り欠き部
Ｒ１…曲面
Ｒ２…曲面
【図１】
2010262421.tif 000003
【図２】
2010262421.tif 000004
【図３】
2010262421.tif 000005
【図４】
2010262421.tif 000006
【図５】
2010262421.tif 000007
【図６】
2010262421.tif 000008
【図７】
2010262421.tif 000009
【図８】
2010262421.tif 000010
【図９】
2010262421.tif 000011
【図１０】
2010262421.tif 000012
【図１１】
2010262421.tif 000013
【図１２】
2010262421.tif 000014
【図１３】
2010262421.tif 000015
【図１４】
2010262421.tif 000016